(57)【要約】【課題】  貯蔵室に対して出し入れされる貯蔵容器の左右方向の幅寸法を極力大きくできるようにする。【解決手段】  仕様切替室１４の底部における前部の左右両側の凹部に、支えローラ３１を有する固定具３３を嵌め込むように設ける。扉の背面に設けた支持部材の支持板部３６の左右両側の後部に案内ローラ３８を設け、各案内ローラ３８を仕様切替室１４の側壁に設けた案内レール３０に挿入すると共に、支持板部３６の水平板部３６ｂを支えローラ３１に受け支持させ、支持部材に貯蔵容器３９を着脱可能に支持させる。支持部材を受け支持する支えローラ３１を、仕様切替室１４の底部側に設けるようにしたので、支えローラを貯蔵室の側壁に設けるようにしたものに比べて、貯蔵容器の左右方向の幅寸法を極力大きくすることが可能になる。【選択図】  図２
2005134106.tif 000002
【特許請求の範囲】
【請求項１】
前面に開口部を有する貯蔵室と、
この貯蔵室の左右両側壁部に前後方向に延びるように設けられた案内部と、
前後方向の移動により前記貯蔵室の前面開口部を開閉する扉と、
この扉の背面に設けられ、左右両側に前記案内部に沿って延びる支持板部を有する支持部材と、
この支持部材における左右両側の前記支持板部の後部に設けられ、それぞれ前記案内部に沿って転動する案内ローラと、
前記貯蔵室の底部における前部の左右両側に設けられ、それぞれ前記支持部材の支持板部を受け支持する支えローラを有する固定具と、
前記支持部材の後部に設けられ、前記支えローラ又は前記固定具に当接して前記支持部材の前方への移動を規制するストッパと、
前記支持部材に支持された状態で、前記扉の開閉に伴い前記貯蔵室に対して出し入れされる貯蔵容器とを具備し、
前記固定具は、前記貯蔵室の底部の前縁部に設けられた凹部に爪嵌合を介して嵌め込まれ、前記固定具の前部は、前記凹部に当接させていることを特徴とする貯蔵庫。
【発明の詳細な説明】
【技術分野】
【０００１】
本発明は、扉の開閉に伴い支持部材に支持された貯蔵容器を貯蔵室に対して出し入れする構成の、いわゆる引き出し式の貯蔵室を備えた貯蔵庫に関する。
【背景技術】
【０００２】
貯蔵庫、例えば冷蔵庫においては、引き出し式の冷凍室や製氷室を備えたものがある。このものは、例えば図９及び図１０に示すような構成となっている。すなわち、冷凍室などの貯蔵室１の左右両側壁部（図では左側の側壁のみ示す）には、前後方向に延びる案内レール２が設けられていると共に、これら各案内レール２の前部の上方部位に、支えローラ３が貯蔵室１内へ突出する状態で設けられている。
【０００３】
貯蔵室１の前面開口部を開閉する扉４の背面には、支持部材５が取り付けられている。この支持部材５は、案内レール２に沿って延びる一対の支持板部５ａの後端部間を連結部５ｂでつないだ形態のほぼコ字状をなしていて、各支持板部５ａの上縁部に外側方へ張り出す張出部５ｃが一体に設けられていると共に、各支持板部５ａの後部に、外側方へ突出するようにして案内ローラ６が設けられている。この支持部材５に貯蔵容器７が着脱可能に支持されるようになっている。
【０００４】
そして、支持部材５は、各案内ローラ６を各案内レール２に挿入すると共に、各張出部５ｃを各支えローラ３に引っ掛けて受け支持させることにより、扉４の開閉に伴い前後方向に案内されるようになっており、この支持部材５に貯蔵容器７を支持させることにより、貯蔵容器７が貯蔵室１に対して出し入れされる構成となっている。
【発明の開示】
【発明が解決しようとする課題】
【０００５】
しかしながら、上記した従来構成のものでは、貯蔵室１の左右両側壁に取り付けられた案内ローラ３が貯蔵室１内へ突出しているので、支持部材５に支持される貯蔵容器７の左右方向の幅寸法を大きくすることができず、ひいては貯蔵容器７の容積を大きくすることができないという欠点がある。
【０００６】
本発明は上記事情に鑑みてなされたものであり、その目的は、貯蔵容器の左右方向の幅寸法を極力大きくすることができ、ひいては貯蔵容器の容積を極力大きくすることができる貯蔵庫を提供するにある。
【課題を解決するための手段】
【０００７】
上記の目的を達成するために、請求項１の発明は、前面に開口部を有する貯蔵室と、この貯蔵室の左右両側壁部に前後方向に延びるように設けられた案内部と、前後方向の移動により前記貯蔵室の前面開口部を開閉する扉と、この扉の背面に設けられ、左右両側に前記案内部に沿って延びる支持板部を有する支持部材と、この支持部材における左右両側の前記支持板部の後部に設けられ、それぞれ前記案内部に沿って転動する案内ローラと、前記貯蔵室の底部における前部の左右両側に設けられ、それぞれ前記支持部材の支持板部を受け支持する支えローラを有する固定具と、前記支持部材の後部に設けられ、前記支えローラ又は前記固定具に当接して前記支持部材の前方への移動を規制するストッパと、前記支持部材に支持された状態で、前記扉の開閉に伴い前記貯蔵室に対して出し入れされる貯蔵容器とを具備し、前記固定具は、前記貯蔵室の底部の前縁部に設けられた凹部に爪嵌合を介して嵌め込まれ、前記固定具の前部は、前記凹部に当接させている構成としたところに特徴を有する。
【発明の効果】
【０００８】
上記した手段によれば、支持部材の支持板部を受け支持する支えローラを、貯蔵室の底部側に設けるようにしたので、支えローラを貯蔵室の側壁に設けるようにしたものに比べて、貯蔵容器の左右方向の幅寸法を極力大きくすることが可能になる。また、支えローラを有する固定具を、貯蔵室の底部に設けられた凹部に嵌め込まれる状態としたことにより、支えローラの貯蔵室内側への突出量を抑えることができて、貯蔵容器の高さ寸法を極力大きくすることができ、これによっても当該貯蔵容器の容積を極力大きくすることが可能になる。さらに、支持部材の前方への移動を規制するために支えローラ又は固定具を利用しているので、貯蔵室側に専用のストッパなどを設ける必要がない利点がある。
【発明を実施するための最良の形態】
【０００９】
以下、本発明を冷蔵庫に適用した一実施例について、図１ないし図６を参照して説明する。まず、貯蔵庫たる冷蔵庫の全体を示す図６において、冷蔵庫の本体１１の内部には、上段から順に、冷蔵室１２、左右に並ぶ製氷室１３及び仕様切替室１４、冷凍室１５、そして野菜室１６が設けられており、各室１２〜１６はそれぞれ独立した扉１７〜２１によって開閉されるようになっている。各扉１７〜２１のうち、冷蔵室１２の扉１７は、右側部を支点にして前方へ開く回動式であり、他の扉１８〜２１は、前方へ引き出す引き出し式となっている。
【００１０】
この場合、詳細には示されていないが、上記各室１２〜１６のうち、仕様切替室１４を除く各室１２，１３，１５，１６は、本体１１の内箱２２（図５参照）に一体に形成しているが、仕様切替室１４については、内箱２２とは別に、射出成形により形成された貯蔵室形成箱２３を内箱２２に取り付け、この貯蔵室形成箱２３の内部を仕様切替室１４として形成するようにしている。
【００１１】
仕様切替室１４の後部には、当該仕様切替室１４内への冷気の供給量を制御するダンパ装置２４が設けられている。仕様切替室１４は、この場合、その冷却温度を広い範囲で切り替えることができるようになっていて、その切り替えにより、冷凍室、パーシャルフリージング室、チルド室、冷蔵室、及び野菜室のいずれかに選択して使用することができるようになっている。また、製氷室１３内には、図示はしないが、自動製氷装置が配設されている。
【００１２】
製氷室１３とこれの下方の冷凍室１５とは温度帯が同じでよいことから、この場合、内部では連通した状態となっている。製氷室１３と仕様切替室１４の前部には、図１にも示すように、本体１１の内箱２２とは別部材にて構成された仕切りカバー２５が設けられている。この仕切りカバー２５には、製氷室１３の周縁部に対応する枠部２６と、仕様切替室１４の周縁部に対応する枠部２７とが一体に設けられていて、この仕切りカバー２５のうち、製氷室１３の周縁部に対応する枠部２６の下辺部２６ａにより、製氷室１３と冷凍室１５との間を前部において区画している。
【００１３】
従ってこの場合、枠部２６により製氷室１３の前面開口部１３ａを形成すると共に、枠部２７により仕様切替室１４の前面開口部１４ａを形成していて、これら各前面開口部１３ａ，１４ａは対応する扉１８，１９により開閉されるようになっている。
【００１４】
さて、仕様切替室１４の左右両側壁部の下部には、前後方向に延びる案内部を構成する案内レール３０が設けられている。この案内レール３０は、図２にも示すように、断面形状がコ字状をなしている。また、仕様切替室１４の底部のうちの前縁部を構成する上記枠部２７の下辺部２７ａの左右両側には、支えローラ３１が取り付けられている。これら支えローラ３１は、図３にも示すように、これに挿通したピン３２を、枠部２７に対して取り付けられた固定具３３の溝部３４に上方から挿入することにより、一部が枠部２７に埋め込まれた状態で、その固定具３３に回転自在に支持されている。
【００１５】
これに対して、仕様切替室１４の前面開口部１４ａを開閉する扉１９の背面には、支持部材３５が取り付けられている。この支持部材３５は、左右両側に案内レール３０に沿って延びる一対の支持板部３６と、これら一対の支持板部３６の後端部間を連結する連結部３７とを有し、全体としてコ字状をなしている。各支持板部３６は、側板部３６ａと、この側板部３６ａの下端部から内側へ向けて突設された水平板部３６ｂとを有し、断面がほぼＬ字状をなしていて、側板部３６ａの後部に、案内ローラ３８が外側方へ突出する形態で取り付けられている。
【００１６】
そして、支持部材３５には、図２及び図５に示すように、貯蔵容器３９が、これの底部が支持板部３６の水平板部３６ｂに受けられるようにして、着脱可能に支持されるようになっている。
【００１７】
しかして、支持部材３５は、各案内ローラ３８を各案内レール３０に挿入すると共に、各支持板部３６の水平板部３６ｂを各支えローラ３１に受け支持させることにより、扉１９の開閉に伴い前後方向に案内されるようになっており、この支持部材３５に貯蔵容器３９を支持させることにより、貯蔵容器３９が仕様切替室１４に対して出し入れされる構成となっている。
【００１８】
各水平板部３６ｂの後部には、下方へ突出するストッパ４０が設けられており、支持部材３５を前方へ一杯に引き出した際に、そのストッパ４０が支えローラ３１に当たることにより（図４参照）、従って、ストッパ４０と支えローラ３１とが協働して支持部材３５ひいては貯蔵容器３９がそれ以上前方へ移動することを規制するようになっている。
【００１９】
なお、図示はされていないが、製氷室１３側にも上記仕様切替室１４側と同様な引き出し構成が採用されており、扉１８の開閉に伴い、図示しない支持部材に支持された貯蔵容器としての貯氷容器が製氷室１３に対して出し入れされる構成となっている。
【００２０】
上記した実施例によれば、仕様切替室１４において、これの扉１８の背面に設けられた支持部材３５の支持板部３６を受け支持する支えローラ３１を、仕様切替室１４の底部側に設けるようにしたので、支えローラ３１は仕様切替室１４に対して横方向へは突出しない。従って、従来構成において、支えローラ３を貯蔵室１の側壁に設けるようにしたものに比べて、貯蔵容器３９の左右方向の幅寸法を極力大きくすることが可能になり、ひいては当該貯蔵容器３９の容積を極力大きくすることが可能になる。
【００２１】
また、各支えローラ３１は、仕様切替室１４の底部を構成する仕切りカバー２５の枠部２７の下辺部２７ａに一部が埋め込まれた状態となるように設けたことにより、上方への突出量を抑えることができ、貯蔵容器３９の高さ寸法を極力大きくすることができ、これによっても当該貯蔵容器３９の容積を極力大きくすることが可能になる。
【００２２】
さらに、各支えローラ３１を、本体１１の内箱２２とは別部材の仕切りカバー２５に取り付ける構成としているので、支えローラ３１を取り付ける部分を比較的容易に製造することができると共に、その支えローラ３１を容易に取り付けることができる。特に本実施例においては、支えローラ３１は、これに挿通したピン３２を固定具３３の溝３４に上方から挿入することにより取り付ける構成としているので、取り付けが一層簡単にでき、また、必要に応じて容易に外すこともできる。支えローラ３１の軸は、単なる棒状のピン３２でよいので、製造がしやすく、コストを低減することもできる。
【００２３】
また、支持部材３５の支持板部３６に設けたストッパ４０を、支えローラ３１に当てることにより、支持部材３５の前方への移動を規制する構成としているので、支持部材３５の前方への移動を規制するために、仕様切替室１４側に専用のストッパを設ける必要がない利点がある。
【００２４】
図７は、ストッパ４１の変形例を示したものである。このストッパ４１は、支持部材３５における支持板部３６の水平板部３６ｂに、上記ストッパ４０よりも下方へ大きく突出させていて、支持部材３５が前方へ一杯に引き出された際に、枠部２７における下辺部２７ａの上端部、この場合固定具３３の上端部に当接することにより、支持部材３５の前方への移動を規制する構成としている。
【００２５】
また、図８は支えローラ４２の変形例を示したものである。この支えローラ４２は、外周面に凸部４３を全周にわたって有した構成となっている。このような構成とした場合には、支持部材３５における水平板部３６ｂがその凸部４３の外周面に当接することになり、それら水平板部３６ｂと支えローラ４２との接触面積が少なくなり、それに伴い支えローラ４２部分において発生する音が低減されるようになる。
【００２６】
本発明は、上記した実施例にのみ限定されるものではなく、次のように変形または拡張できる。
例えば案内部を構成する案内レール３０を、仕様切替室１４の側壁部に深く埋め込むようにすることにより、貯蔵容器３９の左右方向の幅寸法を一層大きくすることが可能になる。
【００２７】
また、上記した引き出し構成は、冷凍室１５や野菜室１６にも適用することができる。さらに、本発明は家庭用の冷蔵庫に限られず、各種の貯蔵庫にも適用することができる。
【図面の簡単な説明】
【００２８】
【図１】本発明の一実施例を示す要部の分解斜視図
【図２】要部の縦断正面図
【図３】支えローラ部分の分解斜視図
【図４】支えローラ部分の縦断側面図
【図５】仕様切替室部分の縦断側面図
【図６】冷蔵庫全体の正面図
【図７】ストッパの変形例を示す図４相当図
【図８】支えローラの変形例を示す正面図
【図９】従来構成を示すもので、案内レールと、扉及び支持部材部分の斜視図
【図１０】案内レール部分の縦断正面図
【符号の説明】
【００２９】
１１は本体、１３は仕様切替室（貯蔵室）、１４ａは前面開口部、１９は扉、２５は仕切りカバー、２７は枠部、２７ａは下辺部、３０は案内レール（案内部）、３１は支えローラ、３３は固定具、３５は支持部材、３６は支持板部、３８は案内ローラ、３９は貯蔵容器、４０，４１はストッパ、４２は支えローラである。
【図１】
2005134106.tif 000003
【図２】
2005134106.tif 000004
【図３】
2005134106.tif 000005
【図４】
2005134106.tif 000006
【図５】
2005134106.tif 000007
【図６】
2005134106.tif 000008
【図７】
2005134106.tif 000009
【図８】
2005134106.tif 000010
【図９】
2005134106.tif 000011
【図１０】
2005134106.tif 000012